(57)【要約】  【課題】本発明は、低濃度の被処理排水および高濃度の被処理排水のそれぞれの排水性状に応じた処理方法が選択できることを課題とする。  【解決手段】低濃度の被処理排水から浮遊する汚濁物質等の被除去物質を除去するドラムフィルター７と、前記ドラムフィルターで除去された被除去物質が貯留される調整槽１５と、前記調整槽に高濃度の浮遊汚濁物質を含む被処理排水が流入する配管３１と、前記調整槽内の被除去物質を分離する電解式浮上分離装２１とを備え、前記低濃度排水用ろ過手段により処理された処理済排水が放流されるともに、前記分離装置で処理された処理済排水が放流される構成である。【選択図】図１
2007319817.tif 000002
【特許請求の範囲】
【請求項１】
低濃度の被処理排水に浮遊する汚濁物質等の被除去物質を、低濃度排水用ろ過手段で除去し、被除去物質を除去した処理済排水を放流するとももに、前記被除去物質を調整槽に貯留し、高濃度の浮遊汚濁物質を含む被処理排水を前記調整槽に貯留し、前記調整槽内の被除去物質を分離装置で分離し、被除去物質が除去された処理済排水を放流することを特徴とする排水処理方法。
【請求項２】
低濃度の被処理排水から浮遊する汚濁物質等の被除去物質を除去する低濃度排水用ろ過手段と、前記低濃度排水用ろ過手段で除去された被除去物質が貯留される調整槽と、前記調整槽に高濃度の被処理排水が流入する配管と、前記調整槽内の被除去物質を分離する分離装置とを備え、前記低濃度排水用ろ過手段により処理された処理済排水が放流されるともに、前記分離装置で処理された処理済排水が放流される構成であることを特徴とする排水処理設備。
【請求項３】
前記被処理排水が海水からなり、海水が貯留される水槽を備え、前記水槽から低濃度の被処理排水が、低濃度排水用ろ過手段に供給され、前記低濃度排水用ろ過手段でろ過された被除去物質を前記調整槽に移行させるように、ろ過海水もしくは上水を低濃度排水用ろ過手段に供給する逆洗ポンプが設けられた請求項２に記載の排水処理設備。
【請求項４】
前記被処理排水が海水からなり、海水が流入するろ過装置を備え、前記ろ過装置でろ過された海水中の被除去物質を前記調整槽に移行させるように、逆洗水貯留槽に貯留されたろ過海水もしくは上水を低濃度排水用ろ過手段に供給する逆洗ポンプが設けられた請求項２または３に記載の排水処理設備。
【請求項５】
前記分離装置は、電解式浮上分離装置からなり、前記調整槽には、前記調整槽内の被除去物質の濃度を検出するための濃度センサが設けられ、前記濃度センサの情報に基づいて電解式浮上分離装置への電流供給量を制御する制御装置が設けられている請求項２〜４の何れかに記載の排水処理設備。
【請求項６】
前記電解式浮上分離装置で分離された被除去物質をかきとる除去装置と、前記除去装置から供給された被除去物質を処理する汚泥処理装置が設けられ、前記汚泥処理装置は、被除去物質が貯留される汚泥貯留槽と、前記汚泥貯留槽の汚泥が汚泥ポンプを介して供給される脱水手段と、前記脱水手段で汚泥を分離した際に発生する水分を前記調整槽に戻すための配管とを備えている請求項５に記載の排水処理設備。
【請求項７】
前記高濃度の被処理排水は、ワムシ培養槽から排出されるワムシ排水である請求項３〜６の何れかに記載の排水処理設備。
【請求項８】
前記分離装置から排出される処理済排水は、前記低濃度排水用ろ過手段から排出される処理済排水と混合して放流される請求項２〜７の何れかに記載の排水処理設備。
【請求項９】
被処理海水が貯留される調整槽と、前記調整槽から供給された被処理海水に凝集剤を混入して攪拌する槽と、前記槽から供給された被処理海水内の被除去物質を浮上させて分離する電解式浮上分離装置とを備え、前記調整槽には、前記調整槽内の被除去物質の濃度を検出するための濃度センサが設けられ、前記濃度センサの情報に基づいて電解式浮上分離装置への電流供給量を制御する制御装置が設けられていることを特徴とする排水処理装置。
【発明の詳細な説明】
【技術分野】
【０００１】
本発明は、例えば、栽培漁業センター等から排出される排水の排水排水処理方法およびその設備並びに排水処理装置に関する。
【背景技術】
【０００２】
栽培漁業センター等から排出される排水は、特に処理されることなく近隣の海洋へ放流されているのが現状である。栽培漁業センター等から排出される排水は、ＢＯＤ（生物化学的酸素要求量）、ＣＯＤ（化学的酸素要求量）や汚濁物質等の濃度が低く、略無色の低濃度排水と、ＢＯＤや汚濁物質等の濃度が高く、着色された高濃度排水とがある。そして、高濃度排水は、低濃度排水と混合希釈され海洋に放流している。
【０００３】
具体的には、海産魚の種苗生産に欠かせない仔魚の餌料となるワムシは、前記センターで培養されている。このワムシの培養水が、高濃度排水として低濃度排水と混合希釈された後に放流されている。また、前記センターでは、ワムシの培養以外に、各種海産魚が水槽で種苗生産されており、水槽に大量の海水が供給されるとともに、低濃度の一般排水として放流されている。この一般排水は、ワムシ排水に比し、ＢＯＤ、ＣＯＤや汚濁物質等の濃度が低い。
【０００４】
また、一般的に、汚濁物質の除去装置として、凝集沈殿および浮上分離方法を採用したものが公知である（例えば、特許文献１参照）。
【特許文献１】特開２００５−１７７６８１号公報
【発明の開示】
【発明が解決しようとする課題】
【０００５】
前記栽培漁業センターでは、低濃度排水と高濃度排水との処理が必要となり、高濃度排水に比し低濃度排水は大量に排出されるため、両方の排水処理を同一の設備で処理すると、設備が大規模化する問題がある。
【０００６】
また、高濃度排水（ワムシ排水等）の場合は、低濃度排水と混合希釈され海洋に放流しているため、その割合が高い場合には、海洋に着色排水が流れてしまうおそれがあり、排水の環境負荷が高くなるとともに、環境保護の観点からも、栽培漁業センターでの排水処理は重要な問題である。
【０００７】
本発明は、低濃度の被処理排水および高濃度の被処理排水のそれぞれの排水性状に応じた処理方法が選択できることを課題とする。
【課題を解決するための手段】
【０００８】
本発明は、排水処理方法およびその設備並びに排水処理装置としてなされたもので、本発明の排水処理方法は、低濃度の被処理排水に浮遊する汚濁物質等の被除去物質を、低濃度排水用ろ過手段で除去し、被除去物質を除去した処理済排水を放流するとももに、前記被除去物質を調整槽に貯留し、高濃度の浮遊汚濁物質を含む被処理排水を前記調整槽に貯留し、前記調整槽内の被除去物質を分離装置で分離し、被除去物質が除去された処理済排水を放流することにある。
【０００９】
前記低濃度の被処理排水は、被除去物質を低濃度排水用ろ過手段で除去した後に放流する。この低濃度排水用ろ過手段に残存する被除去物質は、高濃度の被処理排水の被除去物質とともに分離装置で分離される。また、高濃度の被処理排水は、被除去物質が除去された処理済排水として放流される。従って、低濃度の被処理排水および高濃度の被処理排水のそれぞれの排水性状に応じた処理方法が選択できる。
【００１０】
本発明の排水処理設備は、低濃度の被処理排水から浮遊する汚濁物質等の被除去物質を除去する低濃度排水用ろ過手段と、前記低濃度排水用ろ過手段で除去された被除去物質が貯留される調整槽と、前記調整槽に高濃度の被処理排水が流入する配管と、前記調整槽内の被除去物質を分離する分離装置とを備え、前記低濃度排水用ろ過手段により処理された処理済排水が放流されるともに、前記分離装置で処理された処理済排水が放流される構成である。本発明の排水処理設備は、前記排水処理方法の実施を容易に行なえる。
【００１１】
本発明の排水処理設備は、前記被処理排水が海水からなり、海水が貯留される水槽を備え、前記水槽から低濃度の被処理排水が、低濃度排水用ろ過手段に供給され、前記低濃度排水用ろ過手段でろ過された被除去物質を前記調整槽に移行させるように、ろ過海水もしくは上水を低濃度排水用ろ過手段に供給する逆洗ポンプが設けられるのが好ましい。
【００１２】
本発明の排水処理設備は、前記被処理排水が海水からなり、海水が流入するろ過装置を備え、前記ろ過装置でろ過された海水中の被除去物質を前記調整槽に移行させるように、逆洗水貯留槽に貯留されたろ過海水もしくは上水を低濃度排水用ろ過手段に供給する逆洗ポンプが設けられるのが好ましい。
【００１３】
本発明の排水処理設備は、前記分離装置は、電解式浮上分離装置からなり、前記調整槽には、前記調整槽内の被除去物質の濃度を検出するための濃度センサが設けられ、前記濃度センサの情報に基づいて電解式浮上分離装置への電流供給量を制御する制御装置が設けられている。かかる場合には、調整槽内の被除去物質の量に応じた電流を電解式浮上分離装置に供給でき、効率の良い運転が可能である。
【００１４】
本発明の排水処理設備は、前記電解式浮上分離装置で分離された被除去物質をかきとる除去装置と、前記除去装置から供給された被除去物質を処理する汚泥処理装置が設けられ、前記汚泥処理装置は、被除去物質が貯留される汚泥貯留槽と、前記汚泥貯留槽の汚泥が汚泥ポンプを介して供給される脱水手段と、前記脱水手段で汚泥を分離した際に発生する水分を前記調整槽に戻すための配管とを備えていることにある。
【００１５】
かかる場合には、処理された汚泥物の回収を確実に行なえるとともに、汚泥処理装置から出た排水を再処理できる。
【００１６】
本発明の排水処理設備の前記高濃度の被処理排水が、ワムシ培養槽から排出されるワムシ排水であるのが好ましい。
【００１７】
本発明の排水処理設備の前記分離装置から排出される処理済排水は、前記低濃度排水用ろ過手段から排出される処理済排水と混合して放流されるのが好ましい。かかる場合には、仮に高濃度排水中の溶存性成分濃度が高く、分離装置での浮遊汚濁物質除去のみでは、放流水質が満足できない場合でも、低濃度排水用ろ過手段から排出される処理済排水に希釈されるため、水質を放流基準内におさえることができる。
【００１８】
本発明の排水処理装置は、被処理海水が貯留される調整槽と、前記調整槽から供給された被処理海水に凝集剤を混入して攪拌する槽と、前記槽から供給された被処理海水内の被除去物質を浮上させて分離する電解式浮上分離装置とを備え、前記調整槽には、前記調整槽内の被除去物質の濃度を検出するための濃度センサが設けられ、前記濃度センサの情報に基づいて電解式浮上分離装置への電流供給量を制御する制御装置が設けられていることにある。
【００１９】
かかる本発明の排水処理装置は、電解対象液体が海水であるため、電気分解により発生する次亜塩素酸ナトリウムにより、放流される海水の殺菌効果も期待できる。また、海水は、淡水に比し、ミネラル、イオン分、不純物が多く、電気伝導率が高く電気が流れやすいため、電解式浮上分離装置を少ない電力で運転することができる。
【発明の効果】
【００２０】
本発明は、低濃度の被処理排水および高濃度の被処理排水のそれぞれの排水性状に応じた処理方法が選択できる。従って、例えば海水を大量に使用して放流する栽培漁業センター等の設備に最適である。
【発明を実施するための最良の形態】
【００２１】
本発明の実施の形態を図面に基づいて説明する。本実施の形態では、例えば栽培漁業センターにおいて、ワムシ培養等により発生する高濃度の被処理排水と、各種海産魚の種苗生産等により発生する低濃度の被処理排水とを処理する排水処理設備を例示する。
【００２２】
図１は、本実施形態に係る排水処理設備の概略示す図である。同図に示すように、排水処理設備１は、低濃度排水処理設備２と、高濃度排水処理設備３とから主構成されている。
【００２３】
低濃度排水処理設備２は、ろ過装置５と、水槽６ａ、６ｂと、低濃度排水用ろ過手段としてのドラムフィルター７とを備えている。ろ過装置５は、流入される海水を砂でろ過し、ろ過された海水を水槽６ａ、６ｂに供給するものである。水槽６ａ、６ｂは、例えば、各種海産魚を種苗生産するもので、複数個配置されている場合を例示する。なお、水槽は単体であってもよい。
【００２４】
各水槽６ａ、６ｂとドラムフィルター７とは、配管９ａ、９ｂを介して接続されており、各水槽６ａ、６ｂから出る低濃度の被処理排水（被処理海水）としての一般排水は、各ドラムフィルター７に供給されるようになっている。なお、一般排水は、ＣＯＤが略１０ｍｇ/リットルで、海産魚の糞、餌、ごみ等の汚濁物質（被除去物質）が浮遊物（ＳＳ）として混在している。
【００２５】
ドラムフィルター７は、各水槽６ａ、６ｂ毎に一対（２基）設置されており、一方を択一的に使用できる。ドラムフィルター７は、一般排水からＳＳを除去するフィルター（図示省略）を備えており、このフィルターでＳＳが除去された低濃度の一般排水は、放流管１０、１１を介して海洋に放流される。ＳＳが除去された一般排水は、ＣＯＤおよびＢＯＤ等が低濃度であり、ほとんど無色の状態である。
【００２６】
前記ろ過装置５には、逆洗水貯留槽１２が設けられ、海水をろ過した砂に付着しているＳＳは、ポンプ１３により、既設ろ過槽１２ａ内の海水とともに逆洗水貯留槽１２に貯留される。逆洗水貯留槽１２に設けられた逆洗ポンプ１４ａと前記配管９ａとは、分岐配管１４で接続されており、逆洗水貯留槽１２の貯留水は、分岐配管１４および配管９ａを流れてドラムフィルター７に流入するようになっている。
【００２７】
高濃度排水処理設備３は、調整槽１５と、反応槽１６と、凝集槽１７と、ｐＨ調整剤槽１８、第１凝集剤槽１９と、第２凝集剤槽（高分子凝集剤槽）２０と、分離装置としての電解式浮上分離装置２１と、ＳＳ除去装置２２と、汚泥処理装置２３とを備えている。
【００２８】
調整槽１５は、配管２５ａ、２５ｂを介してドラムフィルター７と接続されている。具体的には、水槽６ａ側のドラムフィルター７は、配管２５ａと接続され、水槽６ｂ側のドラムフィルター７は、配管２５ｂと接続されている。
【００２９】
ドラムフィルター７は、ろ過海水もしくは上水等のろ過水が貯留された貯留槽２７と、逆洗ポンプ２９が介在された配管２８を介して接続されている。この逆洗ポンプ２９により、貯留槽２７内のろ過海水は、ドラムフィルター７に適宜供給される。ろ過海水は、ドラムフィルター７のフィルターろ過時とは反対方向に流れることにより、フィルターに付着しているＳＳを除去し、このＳＳは配管２５ａ、２５ｂを介して調整槽１５に流入し貯留されるようになっている。
【００３０】
ワムシを培養するワムシ培養槽３０から排出される高濃度の浮遊汚濁物質を含む被処理排水（ワムシ培養排水）は、配管３１を流れて調整槽１５に貯留される。ワムシ培養排水は、前記一般排水に比し、ＣＯＤ、汚濁物質等の濃度が高く、着色状態でワムシ培養槽３０から排出される。調整槽１５には、排水移送ポンプ３２が設置されており、この排水移送ポンプ３２は、調整槽１５内の高濃度の被処理排水を、配管３３を介して反応槽１６に供給する。
【００３１】
反応槽１６内には、モータにより回転するプロペラ３５が設けられている。また、反応槽１６には、第１凝集剤槽１９から例えばポリ塩化アルミニウム（ＰＡＣ）が注入されるとともに、ｐＨ調整剤槽１８から水酸化ナトリウム等のｐＨ調整剤が注入される。プロペラ３５で攪拌される被処理排水は中性となり、微細なＳＳは核となる大きさまで凝集される。
【００３２】
凝集槽１７に、反応槽１６で凝集されたＳＳが混在する被処理排水が移行される。この凝集槽１７に、第２凝集剤槽２０から高分子凝集剤が注入されるようになっている。凝集槽１７内の被処理排水は、モータにより回転するプロペラ３６により、攪拌される。なお、凝集槽１７のプロペラ３６の回転速度は、反応槽１６のプロペラ３５の回転速度よりも遅く設定されている。このように、反応槽１６のプロペラ３５の回転速度を速く設定することにより、凝集剤およびｐＨ調整剤の攪拌を迅速に行い、凝集槽１７のプロペラ３６の回転速度を遅く設定することにより、ＳＳを所定の大きさまで成長させることができる。
【００３３】
電解式浮上分離装置２１は、上方に向けて拡径する電解浮上槽４０と、この電解浮上槽４０の下部に設けられた電極４１とから主構成されている。電解浮上槽４０の下部に、凝集槽１７内の被処理排水が、配管４３を介して供給されるようになっている。電極４１は、被処理排水を電気分解して酸素ガスおよび水素ガスの気泡からなる微細な気体を発生させるものである。
【００３４】
電極４１への電流の供給量は、制御装置４４により制御されている。すなわち、調整槽１５には、槽内の被処理排水に含まれるＳＳ濃度を検出する濃度計等の濃度センサ３７が設けられている。制御装置４４は、濃度センサ３７からの情報に基づいて電極４１への電流の供給量を制御するようになっている。気体の発生量は、電極４１に供給される電流密度に比例するため、例えば、調整槽１５のＳＳ濃度が高い場合、制御装置４４は、電極４１への電流供給量を増加させ、反対にＳＳ濃度が低い場合、電極４１への電流供給量を減少させる。
【００３５】
ＳＳ除去装置２２は、電解浮上槽４０上部に配置され、微細な気体とともに浮上してきたフロック（気体に付着したＳＳ）を自動回収し、ＳＳを除去するもので、例えば、フロックをかきとるように回転する無端体を有する装置である。ＳＳが除去された処理済排水は、水位調整管４５を通過し、放流管４６を介して放流される。なお、この放流管４６は、前記低濃度排水処理設備２の放流管１０に接続されており、放流管４６を流れる処理済排水は、放流管１０を流れる大量の処理済排水と混合して放流されるようになっている。
【００３６】
汚泥処理装置２３は、ＳＳ除去装置２２で分離回収されたＳＳを汚泥処理するもので、ＳＳ除去装置２２から排出された汚泥を貯留する汚泥貯留槽４７と、遠心分離機５０とを備えている。汚泥貯留槽４７は、汚泥ポンプ４９が介在された配管４８により脱水手段としての遠心分離機５０と接続されている。遠心分離機５０は、汚泥貯留槽４７に貯留された汚泥を脱水し、汚泥の水分を除去する。容積が小さくされた汚泥は産業廃棄物として処理される。
【００３７】
遠心分離機５０には、汚泥貯留槽４７に水分を戻す戻し配管５１が接続されている。汚泥ポンプ４９には、汚泥貯留槽４７内の貯留液を調整槽１５に戻す戻し配管５２が接続されている。なお、５５、５６は切換弁である。汚泥の脱水は、遠心分離以外にも通常の脱水機等も使用することができ、特に限定されるものではない。
【００３８】
次に、以上の構成からなる排水処理設備における排水処理方法について、図１を参照しながら説明する。
【００３９】
先ず、低濃度排水処理方法について説明する。大量の海水は、ろ過装置５に流入し、このろ過装置５でろ過された後に、各水槽６ａ、６ｂに供給される。各水槽６ａ、６ｂから出る低濃度の一般排水は、配管９ａ、９ｂを介してドラムフィルター７に供給される。一般排水がドラムフィルター７を通過する際に、一般排水内のＳＳがフィルターに付着しＳＳが除去される。ドラムフィルター７を通過した一般排水は、ほとんど無色の処理済排水として、放流管１０、１１を介して海洋に放流される。
【００４０】
各水槽６ａ、６ｂには、一対のドラムフィルター７が設けられているため、一方のドラムフィルター７を使用していても、使用していない他方のドラムフィルター７を洗浄することができる。また、一方のドラムフィルター７が故障しても他方のドラムフィルター７で排水処理を続けることができる。すなわち、貯留槽２７内のろ過海水が、この他方のドラムフィルター７に供給され、フィルターに付着したＳＳを除去する。そして、ろ過海水もしくは上水は、除去されたＳＳとともに配管２５ａ、２５ｂを流れ、調整槽１５に貯留される。
【００４１】
また、ろ過装置５に流入する海水を、ポンプ１３で逆洗水貯留槽１２に流すことにより、ろ過装置５に付着した汚濁物質等も除去できる。逆洗水貯留槽１２に貯留された海水は、逆洗ポンプ１４ａにより、分岐配管１４および配管９ａを流れ、ドラムフィルター７でろ過された後に放流される。なお、このドラムフィルター７に付着した汚濁物質等が、調整槽１５に供給されるのは、前記一般排水の場合と同様である。
【００４２】
次に、高濃度排水処理方法について説明する。ワムシ培養槽３０から排出されるワムシ培養排水は、配管３１を流れて調整槽１５に貯留される。排水移送ポンプ３２は、調整槽１５内の高濃度の被処理排水である被処理海水を、配管３３を介して反応槽１６に供給する。反応槽１６および凝集槽１７において、被処理排水のＳＳは凝集され、配管４３を流れて電解浮上槽４０の下部に供給される。電極４１への電流の供給量は、制御装置４４により制御されており、被処理排水を電気分解して酸素ガスおよび水素ガスの気泡からなる微細な気体を発生させる。ＳＳはフロックになって気泡とともに浮上する。
【００４３】
そして、浮上してきたＳＳを、ＳＳ除去装置２２により回収し除去する。ＳＳが除去された処理済排水は、水位調整管４５を通過し、放流管４６を介して放流される。かかる処理済排水は、ほとんど無色な低濃度排水となっているが、仮に夏期のように被処理排水の水温が高かったり、電解浮上槽４０内にＳＳが長期間放置されたりした場合、凝集されたＳＳからＢＯＤ成分やＣＯＤ成分が分解して被処理排水に溶け出すおそれがある。かかる場合には、処理済排水の濃度が高くなるが、放流管４６を流れる処理済排水は、放流管１０を流れる低濃度で大量の処理済排水に混合、希釈されて放流される。
【００４４】
ＳＳ除去装置２２で回収したＳＳは、汚泥処理装置２３に移送する。ＳＳを汚泥貯留槽４７に汚泥として貯留し、汚泥貯留槽４７内の汚泥を、遠心分離機５０で脱水する。脱水された汚泥は、産業廃棄物として廃棄する。一方、遠心分離機５０から出た水分は、汚泥貯留槽４７に戻される。汚泥貯留槽４７内の貯留排出液は、汚泥ポンプ４９により、戻し配管５２を介して調整槽１５に流入する。
【００４５】
以上のように本実施の形態の排水処理設備は、低濃度排水処理設備２および高濃度排水処理設備３において、被処理排水の量に応じてそれぞれＳＳ分を除去することができる。この結果、大量の一般排水は、ドラムフィルター７を通過させて大量に処理するとともに、ワムシ培養排水は、一般排水から除去されたＳＳとともに電解式浮上分離装置２１等で処理するため、低濃度排水処理方法と高濃度排水処理方法とで、それぞれの排水を同時に処理でき、ＳＳに起因していたＢＯＤ、ＣＯＤ、窒素、リン等を除去でき、放流水の環境負荷を低減することができる。
【００４６】
高濃度排水処理に適した電解式浮上分離装での電解浮上方式は、電解対象液体が海水であるため、電気分解により発生する次亜塩素酸ナトリウムにより、放流される海水の殺菌効果も期待できる。また、海水は、淡水に比し、ミネラル、イオン分、不純物が多く、電気伝導率が高く電気が流れやすいため、電解式浮上分離装置を少ない電力で運転することができる。なお、低濃度排水処理設備２の放流管１０、１１を流れる処理済排水を殺菌装置で殺菌することも可能である。
【００４７】
分離装置は、電解式浮上方式のものに限定されないが、浮上方式は、凝集方式に比し、設備の設置面積が小さく、なおかつユニット化が可能であるため、土木工事を最小限に抑えることができる。特に、栽培漁業センターは、海に近いため、土木工事が少ないことはメリットを有する。また、放流管４６を流れる処理済排水は、放流管１０を流れる低濃度で大量の処理済排水に混合、希釈されて放流されるため、放流近辺の海水が汚れるのを防止でき、きれいな放流近辺の海水を使用することができる利点もある。
【００４８】
本発明は、前記実施の形態に限定されるものではない。例えば、図１に仮想線で示すように、第２凝集剤槽２０と電解浮上槽４０とを、配管５３で接続し、第２凝集剤槽２０内の凝集剤を電解浮上槽４０に直接供給するようにしてもよい。かかる場合には、高濃度の被処理海水を電気分解により発生する気泡により、凝集剤を攪拌する効果があり、前記凝集槽１７が不要となる利点がある。
【図面の簡単な説明】
【００４９】
【図１】本発明に係る一実施の形態を示す排水処理設備の概略図である。
【符号の説明】
【００５０】
１    排水処理設備
２    低濃度排水処理設備
３    高濃度排水処理設備
５    ろ過装置
６ａ、６ｂ  水槽
７    ドラムフィルター（低濃度排水用ろ過手段）
９    配管
１０  放流管
１１  放流管
１２  逆洗水貯留槽
１４ａ  逆洗ポンプ
１５  調整槽
１６  反応槽（槽）
１７  凝集槽
２１  電解式浮上分離装置（分離装置）
２２  ＳＳ除去装置（除去装置）
２３  汚泥処理装置
２９  逆洗ポンプ
３０  ワムシ培養槽
３１  配管
３７  濃度センサ
４４  制御装置
４６  放流管
４７  汚泥貯留槽
４９  汚泥ポンプ
５０  脱水手段（遠心分離機）
５２  戻し配管（配管）
【図１】
2007319817.tif 000003